(57)【要約】【課題】衝撃を十分に緩和するとともに作業性に優れた作業用手袋を提供する。【解決手段】本発明の作業用手袋１０は、手の甲１Ａおよび掌１Ｂを被覆するとともに一端部１１Ａに５本の指２，３，４，５，６が挿通可能な挿通口１２を有する袋本体１１を備える。本発明は、袋本体１１において、小指の付け根６Ａの近傍から手首９までが配される尺側部１９から、掌１Ｂを被覆する掌被覆部２０のうち親指の付け根２Ａの近傍から手首９までが配される母指球部２１に連なるＬ字状の領域２２の厚みを、他の領域２５よりも大きくし、Ｌ字状の領域２２を、基材層２３に衝撃吸収材料からなる衝撃吸収層２４を積層することにより形成したことを特徴とする。【選択図】図１
2011132619.tif 000002
【特許請求の範囲】
【請求項１】
手の甲および掌を被覆するとともに一端部に５本の指がそれぞれ挿通可能な挿通口を有する袋本体を備え、
前記袋本体において、小指の付け根の近傍から手首までが配される尺側部から、前記掌を被覆する掌被覆部のうち親指の付け根の近傍から手首までが配される母指球部に連なるＬ字状の領域の厚みを、他の領域よりも大きくし、
前記Ｌ字状の領域を、基材層に衝撃吸収材料からなる衝撃吸収層を積層することにより形成したことを特徴とする作業用手袋。
【請求項２】
前記袋本体のうち、手の甲を被覆する甲被覆部は、伸縮性材料からなることを特徴とする請求項１に記載の作業用手袋。
【請求項３】
前記Ｌ字状領域の基材層は伸縮性材料からなり、かつ、
前記衝撃吸収層を、発泡性材料からなる第１の衝撃吸収層および非発泡性の材料からなる第２の衝撃吸収層をこの順で前記基材層に積層することにより形成し、前記第２の衝撃吸収層にさらに保護層を積層したことを特徴とする請求項１または請求項２に記載の作業用手袋。
【請求項４】
前記保護層は皮革材料からなり、かつ、
前記保護層を、前記衝撃吸収層を形成した前記Ｌ字状の領域よりも広い範囲で形成するとともに前記Ｌ字状の領域の外周に沿って前記基材層に縫いつけることにより固定したことを特徴とする請求項３に記載の作業用手袋。
【請求項５】
前記保護層を、前記Ｌ字状の領域と、前記掌被覆部のうち前記Ｌ字状の領域よりも前記一端部側の領域と、を覆うように連続的に形成するとともに、前記保護層の前記一端部側の領域を覆う部分に縫い目を形成することにより前記基材層に固定したことを特徴とする請求項３または請求項４に記載の作業用手袋。
【発明の詳細な説明】
【技術分野】
【０００１】
本発明は、作業用手袋に関する。
【背景技術】
【０００２】
車両などの物を組み立てる製造ラインにおいては、人の手により部品を押し込んだり、部品を打ち込むなどの作業が行われている。このような作業を素手で行うと、手に直接衝撃が伝わって手を痛めることがあるため、従来から衝撃から手を保護するために、作業用の手袋が用いられている（例えば、特許文献１を参照）。
【０００３】
特許文献１においては、指先から手首までの部分を覆い、手のひらに滑り止め加工が施され、手のひらの上部から指にわたる範囲に衝撃吸収層を設けた作業用手袋が提案されている。
【先行技術文献】
【特許文献】
【０００４】
【特許文献１】特開平６−１５８４０６号公報（第１図）
【発明の概要】
【発明が解決しようとする課題】
【０００５】
上記特許文献１に記載の作業用手袋においては、衝撃吸収層が掌側の広範囲に設けられているため、衝撃を緩和する効果は高いが、握る動作を伴う作業などを行うことが困難になり、作業性が低下するという問題がある。
【０００６】
作業性を向上させるために、衝撃吸収層を掌のごく一部に設けるなど、衝撃吸収層を設ける範囲を小さくすることも考えられる。しかしながら、車両などの組み立て作業では、広範囲に亘って衝撃が加わるため、衝撃吸収層をごく一部に設けるだけでは、衝撃吸収層が設けられていない部分に衝撃が伝わってしびれや痛みなどの発生を十分に防止することができない。
【０００７】
本発明は上記のような事情に基づいて完成されたものであって、衝撃を十分に緩和するとともに作業性に優れた作業用手袋を提供することを目的とする。
【課題を解決するための手段】
【０００８】
上記課題を解決するものとして、本発明は、手の甲および掌を被覆するとともに一端部に５本の指がそれぞれ挿通可能な挿通口を有する袋本体を備え、前記袋本体において、小指の付け根の近傍から手首までが配される尺側部から、前記掌を被覆する掌被覆部のうち親指の付け根の近傍から手首までが配される母指球部に連なるＬ字状の領域の厚みを、他の領域よりも大きくし、前記Ｌ字状の領域を、基材層に衝撃吸収材料からなる衝撃吸収層を積層することにより形成したことを特徴とする作業用手袋ところに特徴を有する作業用手袋である。
【０００９】
ところで、車両などの組み立て工程においては、手の小指側の側面（尺側という）により部品を押し込む作業や、掌のうち親指の付け根から手首側にかけて膨らんだ部分（母指球という）により部品を押し込むなどの作業、部品にネジを螺合させる作業など種々の作業が行われる。これらの作業のうち、特に、手の尺側から母指球までの部分を使って部品を押し込む作業により、手を痛めてしまう人が多かった。
【００１０】
そこで、本発明の作業用手袋においては、小指の付け根の近傍から手首までが配される尺側部から、掌被覆部のうち親指の付け根の近傍から手首までが配される母指球部に連なるＬ字状の領域の厚みを、他の領域よりも大きくした。すなわち、本発明によれば、組み立て作業の際に衝撃が伝わり易い部分の厚みが、他の部分よりも大きくなっているから、作業の際に手に伝わる衝撃を十分に緩和するとともに、握る動作を伴う作業なども円滑におこなうことができる。
【００１１】
また、本発明によれば、５本の指をそれぞれ挿通可能な挿通口を有するから、本発明の作業用手袋を手にはめると指が露出状態に配され、作業用手袋をはめたままで、指先の動きを必要とする作業を円滑に行うことができる。
【００１２】
さらに、本発明では、Ｌ字状の領域を、基材層に衝撃吸収材料からなる衝撃吸収層を積層することにより形成するから、袋本体を厚みの均一な基材により作製してからＬ字状の領域に衝撃吸収材料からなる衝撃吸収層を積層することにより、容易にＬ字状の領域を形成することができる。
以上より、本発明によれば、衝撃を十分に緩和するとともに作業性に優れた作業用手袋を提供することができる。なお、本明細書において、袋本体の尺側部は掌被覆部と甲被覆部にまたがった部分である。
【００１３】
本発明は以下のような構成としてもよい。
前記袋本体のうち、手の甲を被覆する甲被覆部は、伸縮性材料からなる構成としてもよい。このような構成とすると、着脱が容易であるとともに、手の大きさごとに種々の規格のものを用意する必要がなくなり低コストである。
【００１４】
前記Ｌ字状領域の基材層は伸縮性材料からなり、かつ、前記衝撃吸収層を、発泡性材料からなる第１の衝撃吸収層および非発泡性の材料からなる第２の衝撃吸収層をこの順で前記基材層に積層することにより形成し、前記第２の衝撃吸収層にはさらに保護層を積層してもよい。
このような構成とすると、肌と接する基材の材料として伸縮性の材料が用いられるので着脱が容易となる。また、このような構成によれば、肌に近い側に、柔らかい発泡性の材料からなる第１の衝撃吸収層が配され、肌から遠い側に硬くて衝撃吸収性の優れる材料非発泡性の材料が配されるので、肌触りがよく、衝撃吸収性に優れたものとすることができる。第２の衝撃吸収層には保護層が積層されるので、衝撃吸収層の破損を防止できるとともに、衝撃緩和効果がさらに向上する。
【００１５】
前記保護層は皮革材料からなり、かつ、前記保護層を、前記衝撃吸収層を形成した前記Ｌ字状の領域よりも広い範囲で形成するとともに前記Ｌ字状の領域の外周に沿って前記基材層に縫いつけることにより固定してもよい。
保護層と基材層とが伸縮率の相違する材料から構成されている場合、作業用手袋が着脱等に伴い伸縮することにより、保護層と基材層との間に形成された衝撃吸収層が位置ずれすることが懸念される。
上記のような構成とすると、保護層と基材層との間に配された衝撃吸収層が位置決めされるので、着脱の際に作業用手袋が伸縮したとしても、衝撃吸収層が位置ずれしない。
【００１６】
前記保護層を、前記Ｌ字状の領域と、前記掌被覆部のうち前記Ｌ字状の領域よりも前記一端部側の領域と、を覆うように連続的に形成するとともに、前記保護層の前記一端部側の領域を覆う部分に縫い目を形成することにより前記基材層に固定してもよい。このような構成とすることにより、掌被覆部の強度が向上するとともに、保護層が基材層から、ずれ難くなる。
【発明の効果】
【００１７】
本発明によれば、衝撃を十分に緩和するとともに作業性に優れた作業用手袋を提供することができる。
【図面の簡単な説明】
【００１８】
【図１】本実施形態の作業用手袋を手にはめた状態を示す正面図
【図２】作業用手袋を手にはめた状態を示す背面図
【図３】作業用手袋の展開図
【図４】図３のＸ−Ｘ線における一部断面図
【発明を実施するための形態】
【００１９】
＜実施形態１＞
本発明の実施形態１を図１ないし図４によって説明する。
本実施形態の作業用手袋１０（以下、「手袋１０」ともいう）は、手の甲１Ａおよび掌１Ｂを被覆する袋本体１１を備える。袋本体１１の上端部１１Ａには、図１および図２に示すように、５本の指２，３，４，５，６がそれぞれ挿通可能な挿通口１２が設けられており、作業用手袋１０を手１にはめると５本の指２，３，４，５，６が露出状態に配されるようになっている。人差し指３、中指４、薬指５、および小指６の配される挿通口１２は、袋本体１１の上端部１１Ａから下方へ５ｍｍ程度の長さで形成された３本の縫い目１２Ａにより区分されている。親指２の挿通口１２は親指２の第１関節２Ｂの近傍に配されるように形成されている。親指２の挿通口１２の口縁を除く袋本体１１の上端部１１Ａの周縁、および袋本体１１の下端部１１Ｂの周縁は、縁取り加工により補強されている。
【００２０】
袋本体１１において、手の甲１Ａを被覆する甲被覆部１３と、掌１Ｂを被覆する掌被覆部２０とは、図３に示すように小指側の側部１４Ａにおいて連なっており、図１および図２に示すように、親指側の側部１４Ｂにおいて縫い合わされている。袋本体１１の基材２３は、例えば、ウレタン繊維などの伸縮性材料からなる。
【００２１】
甲被覆部１３には、その下端部１１Ｂ（手首側の端部１１Ｂ）から上方に延びるスリット１５が設けられている。スリット１５の右側の略方形状の領域１６には第１の面ファスナー１８Ａが縫い付けられており、スリット１５の左側からは、フラップ１７が延出されている。このフラップ１７には、第１の面ファスナー１８Ａと接合可能な第２の面ファスナー１８Ｂが縫い付けられており、２つの面ファスナー１８Ａ，１８Ｂを接合することにより手袋１０が手首９に固定されるようになっている。面ファスナー１８Ａ，１８Ｂの接合位置は適宜調整可能となっており、所望の装着感が得られるようになっている。
【００２２】
さて、本実施形態においては、袋本体１１のうち、手１の小指側の側面７（尺側７）が配される尺側部１９から、掌１Ｂ側の親指の付け根２Ａから手首９側にかけて膨らんだ部分８（母指球８）が配される母指球部２１に至る領域２２には、衝撃を吸収する衝撃吸収材からなる衝撃吸収層２４が設けられており、他の領域２５よりも厚みが大きくなっている。尺側部１９は掌被覆部２０と甲被覆部１３とにまたがった部分である。衝撃吸収層２４は、図４に示すように基材層２３の上に積層された第１の衝撃吸収層２４Ａと、第１の衝撃吸収層２４Ａに積層された第２の衝撃吸収層２４Ｂとからなる。
【００２３】
第１の衝撃吸収層２４Ａと第２の衝撃吸収層２４Ｂとは、ほぼ同形同大であり、Ｌ字状をなして重なり合っている（図１〜図３において細い点線で囲まれた部分）。第１の衝撃吸収層２４Ａおよび第２の衝撃吸収層２４Ｂの形成領域２２は、小指の付け根６Ａの近傍から手首９までが配される尺側部１９から、掌被覆部２０のうち親指の付け根２Ａの近傍から手首９までが配される母指球部２１に連なるＬ字状の領域２２である。
【００２４】
第１の衝撃吸収層２４Ａは、例えば、発泡クロロプレンゴムなどの発泡材料からなりその厚みは２ｍｍ〜５ｍｍであり、第２の衝撃吸収層２４Ｂは、例えば、クロロプレンゴムなどの非発泡性材料からなり、その厚みは１ｍｍ〜３ｍｍである。第１の衝撃吸収層２４Ａの厚みは、第２の衝撃吸収層２４Ｂの厚みよりも大きくなるように設定される。
【００２５】
本実施形態においては、第２の衝撃吸収層２４Ｂの上には、Ｌ字状の領域２２と、このＬ字状の領域２２の上側の上端部１１Ａ側の領域（「一端部側の領域２７」に相当）と、を覆うように連続的に形成された保護層２６が積層されている。保護層２６は、牛革や豚革などの天然皮革や合成皮革材料からなり、その厚みは作業に支障のない程度に設定される。保護層２６は、Ｌ字状の領域２２の外周に沿った縫い目２８Ａと、一端部側の領域２７において上下方向に略等間隔に設けた２本の縫い目２８Ｂと、その周縁に沿った縫い目２８Ｃとにより基材層２３に固定されている。図１〜図３において、太い点線で示した部分が保護層２６と基材層２３とを固定する縫い目２８Ａ，２８Ｂ，２８Ｃである。
【００２６】
次に、本実施形態の着脱方法について説明する。
面ファスナー１６を非接合の状態にした本実施形態の手袋１０に下端部１１Ｂ側から手１を差しこむ。このとき、面ファスナー１８Ａ，１８Ｂは非接合の状態となっており、手袋１０の下端部１１Ｂ側は広くなっているので、円滑に手１を差し込むことができる。
【００２７】
次に、５本の指２，３，４，５，６を対応する挿通口１２に挿通させ、所定位置で面ファスナー１８Ａ，１８Ｂを接合して手袋１０を手首９に固定する。このとき、面ファスナー１８Ａ，１８Ｂを所定位置のところで接合することにより手袋１０を手首９に固定することができるので、所望の装着感が得られるとともに、手袋１０を手首９に容易にフィットさせることができる。
着用した手袋１０は、面ファスナー１８Ａ，１８Ｂを非接合状態として上方に引っ張ることにより容易に取りはずすことが可能である。本実施形態においては、袋本体１１の基材（基材層２３）が伸縮性材料から構成されているので、着脱が円滑に行える。
【００２８】
次に本実施形態の作用及び効果について説明する。
上述した方法で本実施形態の手袋１０を着用し、種々の作業を行う。例えば、車両などの組み立て工程において、手１の小指６側の側面７や、掌１Ｂ側の親指の付け根２Ａから手首９側にかけて膨らんだ部分８などを使って、部品を押し込む作業などを行う。
【００２９】
本実施形態においては、小指の付け根６Ａの近傍から手首９までが配される尺側部１９から、掌被覆部２０のうち親指の付け根２Ａの近傍から手首９までが配される母指球部２１に連なるＬ字状の領域２２においては、基材層２３の上に衝撃吸収層２４を積層することにより、他の領域２５よりも厚みが大きくなっている。すなわち、本実施形態においては、上述したような押し込み作業の際に衝撃が伝わり易い領域（Ｌ字状の領域２２）の厚みが、他の領域２５よりも大きくなっている。その結果、本実施形態によれば、組み立て作業の際に手１に伝わる衝撃を十分に緩和することができる。なお、本実施形態では、Ｌ字状の領域２２よりも上側の領域において基材層２３の上に保護層２６が設けられているが、Ｌ字状の領域２２よりも厚みが小さいので、握る動作を伴う作業なども円滑に行うことができる。
【００３０】
さらに、本実施形態の手袋１０は５本の指２，３，４，５，６をそれぞれ挿通可能な挿通口１２を有するから、作業用手袋１０をはめたままで、指先の動きを必要とする作業を円滑に行うことができる。
従って、本実施形態によれば、衝撃を十分に緩和するとともに作業性に優れた作業用手袋１０を提供することができる。
【００３１】
また、本実施形態によれば、袋本体１１を厚みの均一な基材により作製してから衝撃吸収材料を積層することにより、Ｌ字状の領域２２の厚みを大きくしているから、Ｌ字状の領域２２の形成が容易である。
【００３２】
また、本実施形態によれば、袋本体１１の基材層２３が伸縮性材料からなるので、着脱が容易であるとともに、手１の大きさごとに種々の規格のものを用意する必要がなくなり低コストである。
【００３３】
また、本実施形態によれば、肌に近い側に柔らかい発泡性の材料からなる第１の衝撃吸収層２４Ａが配され、肌から遠い側に硬くて衝撃吸収性の優れる材料非発泡性の材料が配されるので、肌触りがよく、衝撃吸収性に優れたものとすることができる。
【００３４】
また、本実施形態によれば、皮革材料からなり、かつ、Ｌ字状の領域２２と、Ｌ字状の領域２２から連なる上端部１１Ａ側の領域とを覆うように広い範囲で形成された保護層２６により第２の衝撃層が積層されているので、衝撃吸収層２４の破損を防止できるとともに、衝撃緩和効果がさらに向上する。
【００３５】
ところで、保護層２６と基材層２３とが伸縮率の相違する材料から構成されている場合には、作業用手袋１０を着脱する際に手袋１０が伸縮することにより、保護層２６と基材層２３との間に配されている衝撃吸収層２４の位置ずれや、保護層２６と基材層２３との間にずれが生じることが懸念される。
しかしながら、本実施形態において、保護層２６は、Ｌ字状の領域２２の外周に沿って基材層２３に縫いつけられており、保護層２６と基材層２３との間に配された衝撃吸収層２４が位置決めされるので、着脱の際に手袋１０が伸縮したとしても、衝撃吸収層２４が位置ずれしない。特に、本実施形態では、保護層２６が、Ｌ字状の領域２２の外周に沿った縫い目２８Ａと、一端部側の領域を覆う部分２７に形成した縫い目２８Ｂと外周に沿った縫い目２８Ｃとを形成することにより基材層２３に固定されているので、掌被覆部２０の強度が向上するとともに、保護層２６が基材層２３から、ずれ難い。
【００３６】
＜他の実施形態＞
本発明は上記記述及び図面によって説明した実施形態に限定されるものではなく、例えば次のような実施形態も本発明の技術的範囲に含まれる。
（１）上記実施形態においては、Ｌ字状の領域を基材層に衝撃吸収層と保護層とを積層して形成したものを示したが、基材層に衝撃吸収層のみを積層してＬ字状の領域を形成してもよい。
【００３７】
（２）上記実施形態においては衝撃吸収層として、発泡クロロプレンゴムからなる第１の衝撃吸収層と、クロロプレンゴムからなる第２の衝撃吸収層とを備えるものを示したが、衝撃吸収層を構成する材料はこれに限定されない。また、衝撃吸収層は１層構造や３層以上の多層構造であっても良い。
【００３８】
（３）上記実施形態においては袋本体全体において、基材を同じ伸縮性の材料から構成したものを示したが、甲被覆部のみを伸縮性の材料から構成してもよい。
【００３９】
（４）上記実施形態においては、面ファスナーを備えるものを示したが、面ファスナーに代えて、例えば手首の部分にゴムなどを入れることにより手首にフィットさせてもよい。
【００４０】
（５）上記実施形態においては、保護層として、Ｌ字状の領域よりも広い範囲に積層されるとともに、その外周に沿った縫い目と、Ｌ字状の領域の外周に沿った縫い目と、一端部側の領域を覆う部分に形成した２本の縫い目とにより基材層に固定されているものを示したが、本発明は、これに限定されない。保護材は、Ｌ字状の領域のみを覆っているもの、保護材の外周に沿う縫い目のみにより基材に固定されているもの、基材に接着剤などを介して貼り付けられているもの、一端部側の領域を覆う部分に形成した縫い目が１本あるいは３本以上のもの、などであってもよい。
【符号の説明】
【００４１】
１…手
２…親指
２Ａ…親指の付け根
３…人差し指
４…中指
５…薬指
６…小指
６Ａ…小指の付け根
９…手首
１０…作業用手袋（手袋）
１１…袋本体
１１Ａ…上端部（一端部）
１２…挿通口
１３…甲被覆部
１９…尺側部
２０…掌被腹部
２１…母指球部
２２…Ｌ字状の領域
２３…基材層
２４…衝撃吸収層
２４Ａ…第１の衝撃吸収層
２４Ｂ…第２の衝撃吸収層
２５…他の領域
２６…保護層
２７…一端部側の領域を覆う部分
２８…縫い目
【図１】
2011132619.tif 000003
【図２】
2011132619.tif 000004
【図３】
2011132619.tif 000005
【図４】
2011132619.tif 000006